(57)【要約】【課題】消費電力を大幅に低減できかつ情報保存用メモリを患者名表示器に備える必要がなく患者のプライバシーを保護できる患者名表示システムを提供する。【解決手段】患者名表示器２０の調光フィルム４２は、コレステリック液晶表示器４１の表示面と所定の間隔をもってかつコレステリック液晶表示器４１の表示面全面を覆うように設けられている。また、調光フィルム４２は、複数の患者名をそれぞれ表示するための複数の領域に分割されており、複数の領域ごとに光透過率を制御することができる。表示制御装置５０は、調光フィルム４２の複数の領域にそれぞれ対応するコレステリック液晶表示器４１の複数の表示領域に複数の患者名をそれぞれ表示させるとともに、調光フィルム４２の複数の領域のうちカードリーダ２３によって読み取られた表示領域制御情報に基づいて決定した領域の光透過率のみを大きくする。【選択図】図３
2009284954.tif 000002
【特許請求の範囲】
【請求項１】
サーバ（１０）と、該サーバとネットワークを介して接続された複数の患者名表示器（２０）とを具備し、
前記複数の患者名表示器がそれぞれ、
無電力状態でも表示を維持することができる電子ペーパー（４１）と、
該電子ペーパーの表示面と所定の間隔をもってかつ該電子ペーパーの表示面全面を覆うように設けられた、かつ、前記複数の患者名をそれぞれ表示するための複数の領域に分割された、かつ、該複数の領域ごとに光透過率を制御することができる調光フィルム（４２）と、
表示領域制御情報を読み取るための表示領域制御情報読取手段（２３）と、
前記調光フィルムの前記複数の領域にそれぞれ対応する前記電子ペーパーの複数の表示領域に前記サーバから前記ネットワークを介して送信されてくる複数の患者名をそれぞれ表示させるとともに、前記表示領域制御情報読取手段によって読み取られた前記表示領域制御情報に基づいて前記調光フィルムの前記複数の領域のうち光透過率を大きくする領域を決定して、該決定した領域の光透過率のみを大きくする表示制御手段（５０）とを備える、
ことを特徴とする、患者名表示システム。
【請求項２】
前記サーバが、前記複数の患者名と該複数の患者名にそれぞれ対応した複数の対応番号とを含む患者名表示更新情報を、前記複数の患者名表示器のうち該複数の患者名を表示する患者名表示器に前記ネットワークを介して送信し、
前記表示領域制御情報が、識別情報と前記複数の対応番号の少なくとも一つとを含み、
前記調光フィルムの前記複数の領域が前記複数の対応番号と１：１に対応しており、
前記表示制御手段が、
前記患者名表示更新情報に含まれる前記複数の患者名を該患者名表示更新情報に含まれる前記複数の対応番号に基づいて並べて、前記電子ペーパーの該対応番号に対応する表示領域に該対応番号に対応する患者名をそれぞれ表示する患者名表示画面を示す患者名表示画面データを生成する患者名表示画面データ生成手段（５２）と、
該患者名表示画面データ生成手段によって生成された前記患者名表示画面データによって示される前記患者名表示画面を前記電子ペーパーに表示させる電子ペーパー制御手段（５４）と、
前記調光フィルムの前記複数の領域の各々の光透過率を制御するための調光フィルム制御手段（５５）と、
前記表示領域制御情報読取手段によって読み取られた前記識別情報に基づいて前記調光フィルム制御手段を制御して、前記調光フィルムの前記複数の領域すべての光透過率を大きくさせるか該複数の領域の少なくとも一つの領域の光透過率を大きくさせるとともに、前記表示領域制御情報読取手段によって読み取られた前記対応番号に基づいて前記調光フィルム制御手段を制御して、前記複数の領域のうち該読み取られた対応番号に対応する領域の光透過率のみを大きくさせる表示領域制御手段（５２）とを備える、
ことを特徴とする、請求項１記載の患者名表示システム。
【請求項３】
前記表示領域制御情報読取手段がカードリーダ（２３）であり、
前記表示領域制御情報が、看護師および見舞い客を区別するための識別番号と、見舞われる患者の患者名の対応番号とであり、
前記表示領域制御手段が、前記カードリーダによって読み取られた前記識別番号が「看護師」を示している場合には、前記調光フィルム制御手段を制御して、前記調光フィルムの前記複数の領域すべての光透過率を大きくさせ、一方、前記カードリーダによって読み取られた前記識別番号が「見舞い客」を示している場合には、前記調光フィルム制御手段を制御して、前記調光フィルムの前記複数の領域のうち前記カードリーダによって読み取られた対応番号に対応する領域の光透過率のみを大きくさせる、
ことを特徴とする、請求項２記載の患者名表示システム。
【請求項４】
前記調光フィルムが、交流電圧を前記複数の領域の各々に印加することにより該複数の領域ごとに光透過率を大きくすることができるものであり、
前記患者名表示器が、前記ネットワークを介して前記直流電圧を送電する機能を有するネットワーク機器（３０）を介して前記サーバと接続されており、
前記患者名表示器が、前記ネットワーク機器から前記ネットワークを介して送電されてくる前記直流電圧を交流電圧に変換するＤＣ／ＡＣインバータ（５３）をさらに備え、
該ＤＣ／ＡＣインバータによって変換された前記交流電圧が印加されることにより前記調光フィルムの前記複数の領域の光透過率が大きくされる、
ことを特徴とする、請求項２または３記載の患者名表示システム。
【請求項５】
前記電子ペーパーがコレステリック液晶表示器（４１）であることを特徴とする、請求項１乃至４いずれかに記載の患者名表示システム。
【発明の詳細な説明】
【技術分野】
【０００１】
本発明は、患者名表示システムに関し、特に、病院の各病室の入口付近に取り付けられた患者名表示器に必要な場合にのみ患者名を表示するのに好適な患者名表示システムに関する。
【背景技術】
【０００２】
従来、病院では、各病室に入院している患者の氏名（患者名）を表示するために、プラスチックプレートや紙で表札を作り、この表札に看護師などがマジックで患者名を手書きしている。
しかし、このようなプラスチックプレートや紙で作られた表札では、病室内の患者の入退院の度に患者名を手書きで書き直さなければならないため、作業効率が悪く、患者名の書き間違いなどのミスが生じることもある。また、誰がどの病室にいるのか病院関係者以外の者にも分かってしまうため、患者のプライバシー保護が十分に図れない。
そのため、患者のプライバシー尊重の観点から患者名を必要以上に表示しないようにしたいという要請がある。また、病院内での犯罪防止の観点からも、このような要請がある。
【０００３】
そこで、下記の特許文献１に開示されている患者名表示方法では、表示板と名札と偏光フィルムとからなり、名札を取り付ける取付手段を表示板に設け、表示板に名札を取り付けかつ偏光フィルムを名札に装着し、名札に記された患者名を隠蔽することにより、病室の入口近傍に設けたその病室に入院している患者の氏名表示において新たな設備投資を最小限に抑えつつ患者のプライバシーを尊重するようにしている。
【０００４】
また、下記の特許文献２に開示されている病室案内板では、化粧板と患者名案内板とを備え、患者名案内板が、患者名表示部を有し、化粧板の内部に設けた収納部に収納可能であるとともに、化粧板の左右または上下に引き出し可能であり、引き出したときに患者名表示部が露出することにより、入院患者の氏名を隠してプライバシーを保護するとともに病院スタッフの作業に支障が生じないようにしている。
【０００５】
さらに、下記の特許文献３に開示されているナースコールシステムでは、液晶廊下灯の液晶（ＬＣＤ）が、表示すべき患者数に応じた患者表示領域とベッド子機以外の呼出しを表示する子機種別表示領域とを有し、ベッド子機から呼出しがなされたときには待受画面を表示し、看護師の操作を受けたときには対応する患者の表示領域のみ患者情報を表示し、ベッド子機以外からの呼出しを受けたときには子機種別表示領域を表示して呼出し場所が速やかに解るようにすることにより、一つの液晶廊下灯に複数の患者の情報を表示させる場合であっても十分なプライバシーの保護が図れるようにしている。
【特許文献１】特開２００６−２９３２０８号公報
【特許文献２】登録実用新案第３１１０７２４号公報
【特許文献３】特開２００６−２１０２９号公報
【発明の開示】
【発明が解決しようとする課題】
【０００６】
しかしながら、上記の特許文献１に開示されている患者名表示方法では、偏光フィルムによって患者名が隠蔽されているため、患者の見舞客がその患者の病室を確認しにくいという問題がある。
【０００７】
上記の特許文献２に開示されている病室案内板では、化粧板を引き出せば誰でも患者名を見ることができるため、患者のプライバシーを完全に保護できるとは必ずしもいえないという問題がある。
【０００８】
上記の特許文献３に開示されているナースコールシステムでは、バックライトを用いて表示する液晶を用いているため、画面を表示している間は常に電力が必要であるとともにバックライトを点灯する必要があるので、１つの病棟に存在する多数の病室に液晶廊下灯をそれぞれ設置すると消費電力が大きくなるとともに、バックライトから放出される熱により環境面でも好ましくないという問題がある。
また、待受画面や患者情報などの表示画面データを保存するメモリ（情報保存用メモリ）を液晶廊下灯に備える必要があるという問題と、待受画面や患者情報などを表示するたびにこのメモリから待受画面や患者情報などを読み出す必要があるという問題がある。
【０００９】
本発明の目的は、消費電力を大幅に低減できかつ情報保存用メモリを患者名表示器に備える必要がなく患者のプライバシーを保護できる患者名表示システムを提供することにある。
【課題を解決するための手段】
【００１０】
本発明の患者名表示システムは、サーバ（１０）と、該サーバとネットワークを介して接続された複数の患者名表示器（２０）とを具備し、前記複数の患者名表示器がそれぞれ、無電力状態でも表示を維持することができる電子ペーパー（４１）と、該電子ペーパーの表示面と所定の間隔をもってかつ該電子ペーパーの表示面全面を覆うように設けられた、かつ、前記複数の患者名をそれぞれ表示するための複数の領域に分割された、かつ、該複数の領域ごとに光透過率を制御することができる調光フィルム（４２）と、表示領域制御情報を読み取るための表示領域制御情報読取手段（２３）と、前記調光フィルムの前記複数の領域にそれぞれ対応する前記電子ペーパーの複数の表示領域に前記サーバから前記ネットワークを介して送信されてくる複数の患者名をそれぞれ表示させるとともに、前記表示領域制御情報読取手段によって読み取られた前記表示領域制御情報に基づいて前記調光フィルムの前記複数の領域のうち光透過率を大きくする領域を決定して、該決定した領域の光透過率のみを大きくする表示制御手段（５０）とを備えることを特徴とする。
ここで、前記サーバが、前記複数の患者名と該複数の患者名にそれぞれ対応した複数の対応番号とを含む患者名表示更新情報を、前記複数の患者名表示器のうち該複数の患者名を表示する患者名表示器に前記ネットワークを介して送信し、前記表示領域制御情報が、識別情報と前記複数の対応番号の少なくとも一つとを含み、前記調光フィルムの前記複数の領域が前記複数の対応番号と１：１に対応しており、前記表示制御手段が、前記患者名表示更新情報に含まれる前記複数の患者名を該患者名表示更新情報に含まれる前記複数の対応番号に基づいて並べて、前記電子ペーパーの該対応番号に対応する表示領域に該対応番号に対応する患者名をそれぞれ表示する患者名表示画面を示す患者名表示画面データを生成する患者名表示画面データ生成手段（５２）と、該患者名表示画面データ生成手段によって生成された前記患者名表示画面データによって示される前記患者名表示画面を前記電子ペーパーに表示させる電子ペーパー制御手段（５４）と、前記調光フィルムの前記複数の領域の各々の光透過率を制御するための調光フィルム制御手段（５５）と、前記表示領域制御情報読取手段によって読み取られた前記識別情報に基づいて前記調光フィルム制御手段を制御して、前記調光フィルムの前記複数の領域すべての光透過率を大きくさせるか該複数の領域の少なくとも一つの領域の光透過率を大きくさせるとともに、前記表示領域制御情報読取手段によって読み取られた前記対応番号に基づいて前記調光フィルム制御手段を制御して、前記複数の領域のうち該読み取られた対応番号に対応する領域の光透過率のみを大きくさせる表示領域制御手段（５２）とを備えてもよい。
前記表示領域制御情報読取手段がカードリーダ（２３）であり、前記表示領域制御情報が、看護師および見舞い客を区別するための識別番号と、見舞われる患者の患者名の対応番号とであり、前記表示領域制御手段が、前記カードリーダによって読み取られた前記識別番号が「看護師」を示している場合には、前記調光フィルム制御手段を制御して、前記調光フィルムの前記複数の領域すべての光透過率を大きくさせ、一方、前記カードリーダによって読み取られた前記識別番号が「見舞い客」を示している場合には、前記調光フィルム制御手段を制御して、前記調光フィルムの前記複数の領域のうち前記カードリーダによって読み取られた対応番号に対応する領域の光透過率のみを大きくさせてもよい。
前記調光フィルムが、交流電圧を前記複数の領域の各々に印加することにより該複数の領域ごとに光透過率を大きくすることができるものであり、前記患者名表示器が、前記ネットワークを介して前記直流電圧を送電する機能を有するネットワーク機器（３０）を介して前記サーバと接続されており、前記患者名表示器が、前記ネットワーク機器から前記ネットワークを介して送電されてくる前記直流電圧を交流電圧に変換するＤＣ／ＡＣインバータ（５３）をさらに備え、該ＤＣ／ＡＣインバータによって変換された前記交流電圧が印加されることにより前記調光フィルムの前記複数の領域の光透過率が大きくされてもよい。
前記電子ペーパーがコレステリック液晶表示器（４１）であってもよい。
【発明の効果】
【００１１】
本発明の患者名表示システムは、以下に示す効果を奏する。
（１）無電力状態でも表示を維持することができる電子ペーパーを用いて患者名表示器を構成することにより、電子ペーパーに患者名を常時表示しておいても消費電力を“０”とすることができるので、１つの病棟に存在する多数の病室に患者名表示器をそれぞれ設置しても全体の消費電力を低減することができる。
（２）電子ペーパーを用いることによりバックライトを不要にすることができるので、バックライトから放出される熱による環境面の悪化を防止することができる。
（３）光透過率を制御することができる調光フィルムを電子ペーパーの表示面と所定の間隔をもってかつ電子ペーパーの表示面全面を覆うように設けることにより、電子ペーパーに患者名を常時表示しておいても調光フィルムで患者名を隠すことができるので、患者のプライバシーを保護することができる。
（４）複数の患者名をそれぞれ表示するための複数の領域に調光フィルムを分割しかつ複数の領域ごとに光透過率を制御できるようにすることにより、たとえば看護師にはすべての患者者名を患者名表示器に表示するが、見舞い客には見舞われる患者の患者名のみを患者名表示器に表示するようにできるので、看護師の業務に支障をきたすことを防止することができる。
【実施例１】
【００１２】
以下、本発明の患者名表示システムの実施例について図面を参照して説明する。
本発明の一実施例による患者名表示システム１は、図１に示すように、病院内に設置されたサーバ１０と、この病院の複数の病室の入口付近にそれぞれ設置された、かつ、サーバ１０とローカルエリアネットワーク（ＬＡＮ）を介して接続された複数個の患者名表示器２０（第１乃至第４の患者名表示器２０1〜２０4を含む。）とを具備する。
【００１３】
ここで、複数個の患者名表示器２０は、４つの病室ごとにＰｏＥ（Power over Ethernet（登録商標））給電対応のネットワーク機器であるＬＡＮ用ハブ３０（または、ＬＡＮ用スイッチ）を介してサーバ１０と接続されている。これにより、１台のサーバ１０で複数個の患者名表示器２０を管理できるとともに、ＬＡＮ用ハブ３０から各患者名表示器２０に直流電圧を供給することができる。
また、送信先エラーが生じないようにするために、各患者名表示器２０には固有のＩＰアドレスが割り当てられている。
【００１４】
サーバ１０は、患者名や患者名に対応する対応番号を含む各種情報を管理する。
また、サーバ１０は、患者名表示器２０に表示する患者名を更新する場合には、患者名表示器２０に表示する更新後の複数の患者名とこれらの患者名の対応番号とを含む患者名表示更新情報を生成して、生成した患者名表示更新情報と送信先の患者名表示器２０のＩＰアドレスとをＬＡＮ用ハブ３０に送信する。
【００１５】
患者名表示器２０は、図２（ａ），（ｂ）に示すように、筐体２１と、筐体２１の表面側に設けられた表示部４０と、筐体２１の表面側に設けられたかつ無線受信機能を備えたカードリーダ２３（表示領域制御情報読取手段）と、筐体２１の裏面側に設けられたＬＡＮコネクタ２４とを備える。
【００１６】
ここで、表示部４０は、図３に示すように、表示面が筐体２１の表面側に向くように筐体２１内に設けられたコレステリック液晶表示器４１（電子ペーパー）と、コレステリック液晶表示器４１の表示面と所定の間隔（好ましくは、５ｍｍ以上）をもってかつコレステリック液晶表示器４１の表示面全面を覆うように筐体２１の表面側に設けられた調光フィルム４２とを備える。
【００１７】
調光フィルム４２は、両端間に交流電圧を印加することにより光透過率を変えることができるアクティブ型調光フィルムである。すなわち、調光フィルム４２は、両端間に交流電圧を印加していない状態では光透過率が小さくなり、両端間に交流電圧を印加している状態では光透過率が大きくなるものである。
また、調光フィルム４２は、図４に示すように、縦方向に４分割されている。すなわち、調光フィルム４２は第１乃至第４のフィルム４２a1〜４２a4（すなわち、第１乃至第４の領域）に分割されており、第１乃至第４のフィルム４２a1〜４２a4の図示左側の端には第１乃至第４の電極４２b1〜４２b4がそれぞれ取り付けられており、第１乃至第４のフィルム４２a1〜４２a4の図示右側の端には共通のアース電極４２cが取り付けられている。
なお、第１乃至第４のフィルム４２a1〜４２a4は患者名の対応番号と１：１に対応している。
【００１８】
これにより、第１の電極４２b1に交流電圧を印加すると、第１のフィルム４２a1の光透過率が大きくなって、図５（ａ）に示すようにコレステリック液晶表示器４１の第１のフィルム４２a1（第１の領域）によって覆われている部分の患者名（この例では、「鈴木  健一  様」）のみが表示部４０に表示され、第２の電極４２b2に交流電圧を印加すると、第２のフィルム４２a2（第２の領域）の光透過率が大きくなって、図５（ｂ）に示すようにコレステリック液晶表示器４１の第２のフィルム４２a2によって覆われている部分の患者名（この例では、「山本  太郎  様」）のみが表示部４０に表示され、第３の電極４２b3に交流電圧を印加すると、第３のフィルム４２a3（第３の領域）の光透過率が大きくなって、図５（ｃ）に示すようにコレステリック液晶表示器４１の第３のフィルム４２a3によって覆われている部分の患者名（この例では、「井上  一郎  様」）のみが表示部４０に表示され、第４の電極４２b4に交流電圧を印加すると、第４のフィルム４２a4（第４の領域）の光透過率が大きくなって、図５（ｄ）に示すようにコレステリック液晶表示器４１の第４のフィルム４２a4によって覆われている部分の患者名（この例では、「河野  正  様」）のみが表示部４０に表示される。
【００１９】
なお、第１乃至第４の電極４２b1〜４２b4に交流電圧を印加していない状態では、第１乃至第４のフィルム４２a1〜４２a4の光透過率はすべて小さくなっているため、コレステリック液晶表示器４１に患者名が表示されていても、患者名は調光フィルム４２によって遮られて図５（ｅ）に示すように表示部４０に表示されない。
このとき、調光フィルム４２の光透過率は完全に“０”にすることはできないため、調光フィルム４２をコレステリック液晶表示器４１の表示面に密着させて設けると、第１乃至第４の電極４２b1〜４２b4に交流電圧を印加していない状態でも表示部４０に患者名がうっすらと表示されるので、患者のプライバシー保護を十分に図ることができない。そこで、患者名が表示部４０に完全に表示されないようにするために、調光フィルム４２をコレステリック液晶表示器４１の表示面と所定の間隔をもって設けるようにしている。
【００２０】
また、患者名表示器２０は、図３に示すように、筐体２１内に設けられた表示制御装置５０も備える。
【００２１】
表示制御装置５０は、図６に示すように、ＬＡＮ制御回路５１と、中央処理装置５２（以下、「ＣＰＵ５２」と称する。）と、ＤＣ／ＡＣインバータ５３と、液晶制御回路５４（電子ペーパー制御手段）と、調光フィルム制御回路５５とを備える。
【００２２】
ＬＡＮ制御回路５１は、ＬＡＮコネクタ２４と接続されている。
また、ＬＡＮ制御回路５１は、ＰｏＥ受電機能を備えており、ＬＡＮ用ハブ３０から送電されてくる直流電圧を受電して、受電した直流電圧をＣＰＵ５２、ＤＣ／ＡＣインバータ５３、液晶制御回路５４、調光フィルム制御回路５５、カードリーダ２３およびコレステリック液晶表示器４１に供給する。
さらに、ＬＡＮ制御回路５１は、サーバ１０からＬＡＮ用ハブ３０を介して送信されてくる患者名表示更新情報を受信して、受信した患者名表示更新情報をＣＰＵ５２に出力する。
【００２３】
ＣＰＵ５２は、ＬＡＮ制御回路５１から入力される患者名表示更新情報に基づいて患者名表示画面データを生成し、生成した患者名表示画面データを液晶制御回路５４に出力する。すなわち、ＣＰＵ５２は、患者名表示画面データ生成手段として機能する。
【００２４】
液晶制御回路５４は、ＣＰＵ５２による制御に従って、ＣＰＵ５２から入力される患者名表示画面データによって示される患者名表示画面をコレステリック液晶表示器４１に表示する。
【００２５】
ＤＣ／ＡＣインバータ５３は、ＬＡＮ制御回路５１から入力される直流電圧を交流電圧に変換して、変換した交流電圧を調光フィルム制御回路５５に出力する。
【００２６】
調光フィルム制御回路５５は、ＣＰＵ５２による制御に従って、ＤＣ／ＡＣインバータ５３から入力される交流電圧を調光フィルム４２の第１乃至第４の電極４２b1〜４２b4（図４参照）に供給する。
このとき、ＣＰＵ５２は、第１乃至第４の電極４２b1〜４２b４に交流電圧を供給する時間を、カードリーダ２３から表示領域制御情報が入力されてきている時間にするように調光フィルム制御回路５５を制御してもよいし、所定の時間（たとえば、１０秒）にするように調光フィルム制御回路５５を制御してもよい。
【００２７】
ＣＰＵ５２は、カードリーダ２３から入力される表示領域制御情報に基づいて以下のように調光フィルム制御回路５５を制御する。すなわち、ＣＰＵ５２は表示領域制御手段としても機能する。
なお、表示領域制御情報には、看護師および見舞い客を区別するための識別番号と、見舞われる患者の患者名の対応番号とが含まれている。
【００２８】
ＣＰＵ５２は、表示領域制御情報に含まれている識別番号が「看護師」を示す場合には、第１乃至第４の電極４２b1〜４２b4すべてに交流電圧を供給するように調光フィルム制御回路５５を制御する。これにより、看護師が看護師専用カード（無線送信機能を備える。）をカードリーダ２３に近付けると、調光フィルム４２の第１乃至第４のフィルム４２a1〜４２a４すべてに交流電圧が印加されて、第１乃至第４のフィルム４２a1〜４２a４すべての光透過率が大きくなるため、すべての患者名が患者名表示器２０の表示部４０に表示される。
一方、ＣＰＵ５２は、表示領域制御情報に含まれている識別番号が「見舞い客」を示す場合には、第１乃至第４の電極４２b1〜４２b４のうち表示領域制御情報に含まれている対応番号に対応する電極のみに交流電圧を供給するように調光フィルム制御回路５５を制御する。これにより、見舞い客が見舞い客用カード（無線送信機能を備える。）をカードリーダ２３に近付けると、調光フィルム４２の第１乃至第４のフィルム４２a1〜４２a４のうち対応する電極のみに交流電圧が印加されて、この電極の光透過率のみが大きくなるため、見舞い客が見舞いに来た患者名のみが患者名表示器２０の表示部４０に表示される。
【００２９】
次に、鈴木健一、山本太郎、井上一郎および河野正の４名が入院している病室の入口付近に図１に示した第１の患者名表示装置２０1を新たに設置するときの患者名表示システム１の動作について説明する。
【００３０】
サーバ１０は、サーバ入力装置から入力される４名の患者名“鈴木健一”、“山本太郎”、“井上一郎”および“河野正”とこれらの患者名の対応番号（ここでは、患者名“鈴木健一”の対応番号を“１”、患者名“山本太郎”の対応番号を“２”、患者名“井上一郎”の対応番号を“３”および患者名“河野正”の対応番号を“４”とする。）を示す患者名表示更新情報を生成して、生成した患者名表示更新情報と送信先の第１の患者名表示装置２０1のＩＰアドレスとをＬＡＮ用ハブ３０に送信する。
【００３１】
ＬＡＮ用ハブ３０は、受信した患者名表示更新情報と直流電圧とを送信先の第１の患者名表示装置２０1に送信する。
【００３２】
第１の患者名表示装置２０1のＬＡＮ制御回路５１は、ＬＡＮ用ハブ３０から受信した患者名表示更新情報をＣＰＵ５２に出力する。
【００３３】
ＣＰＵ５２は、この患者名表示更新情報に含まれている４名の患者名“鈴木健一”、“山本太郎”、“井上一郎”および“河野正”を対応番号順に上から並べた患者名表示画面データを生成し、生成した患者名表示画面データを液晶制御回路５４に出力する。
その後、ＣＰＵ５２は、患者名表示画面データによって示される患者名表示画面をコレステリック液晶表示器４１に表示させるように液晶制御回路５４を制御する。
これにより、コレステリック液晶表示器４１に、４名の患者名“鈴木健一”、“山本太郎”、“井上一郎”および“河野正”が上から順番に表示される（図２（ａ）参照）。
【００３４】
このとき、コレステリック液晶は無電力状態でも表示を維持することができるため、ＣＰＵ５２は、患者名表示画面を表示させる間のみコレステリック液晶表示器４１に直流電圧を供給するようにして、それ以後は直流電圧を供給せずコレステリック液晶表示器４１をスリープ状態（無電力状態）にするようにＬＡＮ制御回路５１を制御する。
また、コレステリック液晶表示器４１には４名の患者名“鈴木健一”、“山本太郎”、“井上一郎”および“河野正”が表示されたままとなるが、調光フィルム４２の第１乃至第４の電極４２b1〜４２b4（図４参照）には交流電圧が印加されていないため、４名の患者名“鈴木健一”、“山本太郎”、“井上一郎”および“河野正”は調光フィルム４２によって隠されるので、この病室の前を通り過ぎる見舞い客などが第１の患者名表示装置２０1の表示部４０を見ても４名の患者名“鈴木健一”、“山本太郎”、“井上一郎”および“河野正”を見ることはできない。
さらに、コレステリック液晶はメモリ機能を有するため、ＣＰＵ５２によって生成された患者名表示画面データを再度使用することはないので、上記の特許文献３に開示されているナースコールシステムのように患者名表示画面データを保存するための情報保存用メモリを表示制御装置５０に備える必要はない。
【００３５】
次に、この病室の鈴木健一が退院して新たに田中洋一が入院して来たときの患者名表示システム１の動作について説明する。
【００３６】
サーバ１０は、サーバ入力装置から入力される退院した患者の患者名“鈴木健一”をサーバ入力装置から入力される入院した患者の患者名“田中洋一”に置換するとともに入院した患者名“田中洋一”の対応番号を退院した患者名“鈴木健一”の対応番号“１”とした４名の患者名“田中洋一”、“山本太郎”、“井上一郎”および“河野正”とこれらの患者名の対応番号（ここでは、患者名“田中洋一”の対応番号は“１”、患者名“山本太郎”の対応番号は“２”、患者名“井上一郎”の対応番号は“３”および患者名“河野正”の対応番号は“４”となる。）とを含む患者名表示更新情報を生成して、生成した患者名表示更新情報と送信先の第１の患者名表示装置２０1のＩＰアドレスとをＬＡＮ用ハブ３０に送信する。
【００３７】
その後は、上述した動作が行われて、患者名“鈴木健一”が患者名“田中洋一”に書き換えられた４名の患者名“田中洋一”、“山本太郎”、“井上一郎”および“河野正”が上から順番にコレステリック液晶表示器４１に表示される。
なお、この場合にも、調光フィルム４２の第１乃至第４の電極４２b1〜４２b4には交流電圧が印加されていないため、４名の患者名“田中洋一”、“山本太郎”、“井上一郎”および“河野正”は調光フィルム４２によって隠されるので、この病室の前を通り過ぎる見舞い客などが第１の患者名表示装置２０1の表示部４０を見ても４名の患者名“田中洋一”、“山本太郎”、“井上一郎”および“河野正”を見ることはできない。
【００３８】
次に、鈴木健一、山本太郎、井上一郎および河野正の４名が入院している病室に担当看護師が患者名を確認して入室するときの患者名表示システム１の動作について説明する。
【００３９】
担当看護師は、この病室の前に来ると、看護師専用カードをカードリーダ２３に近付ける。これにより、看護師専用カードに格納されている表示領域制御情報がカードリーダ２３によって読み取られたのちにＣＰＵ５２に出力される。
【００４０】
ＣＰＵ５２は、この表示領域制御情報に含まれている識別番号が「看護師」を示すため、第１乃至第４の電極４２b1〜４２b4すべてに交流電圧を供給するように調光フィルム制御回路５５を制御する。これにより、調光フィルム４２の第１乃至第４のフィルム４２a1〜４２a４すべてに交流電圧が印加されて、第１乃至第４のフィルム４２a1〜４２a４すべての光透過率が大きくなるため、コレステリック液晶表示器４１に表示されている４名の患者名“鈴木健一”、“山本太郎”、“井上一郎”および“河野正”が調光フィルム４２を通して第１の患者名表示器２０1の表示部４０に表示される。
その結果、この担当看護師は４名の患者名“鈴木健一”、“山本太郎”、“井上一郎”および“河野正”を確認することができる。
【００４１】
次に、鈴木健一、山本太郎、井上一郎および河野正の４名が入院している病室に、山本太郎の見舞い客が来たときの患者名表示システム１の動作について説明する。
【００４２】
この見舞い客が病院の受付に来ると、受付係は、カードライタを用いて、「見舞い客」を示す識別番号と見舞われる患者“山本太郎”の対応番号“２”とを含む表示領域制御情報が格納された見舞い客用カードを作成する。受付係は、作成した見舞い客用カードをこの見舞い客に渡すとともに、山本太郎が入院している病室の病室番号を教え、この病室の入口付近に設置されている第１の患者名表示装置２０1のカードリーダ２３にこの見舞い客用カードをかざすと第１の患者名表示器２０1の表示部４０に患者名“山本太郎”が表示されるので、それを確認して入室するようにいう。
【００４３】
その後、この見舞い客がこの病室の前に来て見舞い客専用カードを第１の患者名表示装置２０1のカードリーダ２３に近付けると、見舞い客専用カードに格納されている表示領域制御情報がカードリーダ２３によって読み取られたのちにＣＰＵ５２に出力される。
【００４４】
ＣＰＵ５２は、表示領域制御情報に含まれている識別番号が「見舞い客」を示すため、第１乃至第４の電極４２b1〜４２b４のうち表示領域制御情報に含まれている対応番号“２”に対応する第２の電極４２b2のみに交流電圧を供給するように調光フィルム制御回路５５を制御する。これにより、調光フィルム４２の第２のフィルム４２a2のみに交流電圧が印加されて、第２のフィルム４２a2の光透過率のみが大きくなるため、患者名“山本太郎”のみが第１の患者名表示器２０1の表示部４０に表示される（図５（ｂ）参照）。
これにより、他の患者名をこの見舞い客に知られることなく、山本太郎が入院している病室であることをこの見舞い客に確認させることができる。
【００４５】
以上の説明では、ＰｏＥ給電対応のＬＡＮ用ハブ３０を介してサーバ１０と複数個の患者名表示器２０とを接続したが、複数個の患者名表示器２０に給電する必要がない場合には、ＰｏＥ給電対応でないＬＡＮ用ハブを介してサーバ１０と複数個の患者名表示器２０とを接続してもよい。
また、電子ペーパーとしてコレステリック液晶表示器４１を用いたが、液晶方式以外のもの（たとえば、強誘電性方式、電子粉流体方式、電気泳動方式などのもの）を用いてもよい。
さらに、見舞い客が一人の患者を見舞いに来たときを例としたが、見舞い客が同じ病室に入院している二人以上の患者を見舞いに来たときは、「見舞い客」を示す識別情報と見舞われる二人以上の患者の患者名の対応番号とを含む表示領域制御情報が格納された見舞い客用カードを作成すればよい。
さらに、表示領域制御情報読取手段としてカードリーダ２３を用いたが、たとえばＩＣタグに表示領域制御情報を書き込む場合にはカードリーダ２３の代わりにＩＣタグリーダを用いればよい。
【図面の簡単な説明】
【００４６】
【図１】本発明の一実施例による患者名表示システム１の構成を示す図である。
【図２】図１に示した患者名表示器２０の構成を示す図であり、（ａ）は正面図であり、（ｂ）は背面図である。
【図３】図２（ａ）に示した表示部４０の構成を示す断面図である。
【図４】図３に示した調光フィルム４２の構成を示す図である。
【図５】図２（ａ）に示した表示部４０の表示画面の一例を示す図であり、（ａ）図４に示した第１の電極４２b1のみに交流電圧を印加したときの表示画面の一例を示す図であり、（ｂ）図４に示した第２の電極４２b2のみに交流電圧を印加したときの表示画面の一例を示す図であり、（ｃ）図４に示した第３の電極４２b3のみに交流電圧を印加したときの表示画面の一例を示す図であり、（ｄ）図４に示した第４の電極４２b4のみに交流電圧を印加したときの表示画面の一例を示す図であり、（ｅ）は第１乃至第４の電極４２b1〜４２b4に交流電圧を印加していないときの表示画面の一例を示す図である。
【図６】図３に示した表示制御回路５０の構成を示すブロック図である。
【符号の説明】
【００４７】
１  患者名表示システム
１０  サーバ
２０  患者名表示器
２０1〜２０4  第１乃至第４の患者名表示器
２１  筐体
２３  カードリーダ
２４  ＬＡＮコネクタ
３０  ＬＡＮ用ハブ
４０  表示部
４１  コレステリック液晶表示器
４２  調光フィルム
４２a1〜４２a4  第１乃至第４のフィルム
４２b1〜４２b4  第１乃至第４の電極
４２c  アース電極
５０  表示制御装置
５１  ＬＡＮ制御回路
５２  ＣＰＵ
５３  ＤＣ／ＡＣインバータ
５４  液晶制御回路
５５  調光フィルム制御回路
【図１】
2009284954.tif 000003
【図２】
2009284954.tif 000004
【図３】
2009284954.tif 000005
【図４】
2009284954.tif 000006
【図５】
2009284954.tif 000007
【図６】
2009284954.tif 000008